【事件の表示】
　特願２００９−２５４２３２「押出装置」拒絶査定不服審判事件〔平成２２年　５月２０日出願公開、特開２０１０−１１０７５８〕について、次のとおり審決する。
【結　論】
　本件審判の請求は、成り立たない。
【理　由】
第１　手続の経緯
　本願は、平成２１年１１月５日（パリ条約による優先権主張２００８年１１月７日、ドイツ連邦共和国）の出願であって、平成２５年１２月１２日付けで拒絶理由が通知され、平成２６年３月１７日に意見書及び手続補正書が提出されたが、同年６月１２日付けで拒絶査定がされ、同年１０月１４日に拒絶査定不服審判の請求がされるとともに同時に手続補正書が提出され、平成２７年２月１８日に上申書が提出されたものである。
　
第２　平成２６年１０月１４日付けの手続補正について
１　平成２６年１０月１４日付けの手続補正の内容
　平成２６年１０月１４日に提出された手続補正書による手続補正（以下、「本件補正」という。）は、特許請求の範囲についての補正であって、本件補正により補正される前の（すなわち、平成２６年３月１７日に提出された手続補正書により補正された）下記（１）に示す特許請求の範囲の記載を下記（２）に示す特許請求の範囲の記載へ補正するものである。 
　
（１）本件補正前の特許請求の範囲
　「【請求項１】
　内容物を収めた容器のための押出装置であって、全長にわたって形状付与部（２３）を有する少なくとも１本のピストンロッド（２１）と、少なくとも１本の該ピストンロッドのための駆動ユニット（１６）とを有し、該駆動ユニット（１６）が、少なくとも１本の前記ピストンロッド（２１）の前記形状付与部（２３）と噛み合う駆動手段（１７）を備える押出装置において、
　少なくとも１本の前記ピストンロッド（２１）の前記形状付与部（２３）が、互いに一様な間隔をおいて配置された、前記ピストンロッド（２１）を貫通する複数の貫通孔（２４）により形成されており、該貫通孔（２４）に、少なくとも１本の前記ピストンロッド（２１）を前進させるための駆動手段（１７）の係合手段が係合し、
　前記駆動手段（１７）は、少なくとも１つの歯車（１８）を有し、少なくとも１つの該歯車（１８）の歯が前記ピストンロッド（２１）と噛み合う部分で当該ピストンロッド（２１）を前進させる係合手段として形成されていることを特徴とする押出装置。
　　【請求項２】
　請求項１に記載の押出装置において、
　少なくとも１つの前記歯車（１８）の歯が、インボリュート形状を有している押出装置。
　　【請求項３】
　請求項１または２に記載の押出装置において、
　前記貫通孔（２４）の開口横断面が長方形である押出装置。
　　【請求項４】
　請求項１または２に記載の押出装置において、
　少なくともそれぞれの前記貫通孔（２４）における少なくとも１本の前記ピストンロッド（２１）の前進方向に向いていない側縁部（２５）が面取りされている押出装置。
　　【請求項５】
　請求項１または２に記載の押出装置において、
　それぞれの前記貫通孔（２４）の少なくとも２つの互いに向かい合う側縁部（２５，２６）がそれぞれ面取りされている押出装置。
　　【請求項６】
　請求項１乃至５のいずれか一項に記載の押出装置において、
　前記ピストンロッド（２１）は、その全長に沿って厳密に、一方の方向および／または寸法だけに移動する押出装置。」 
　
（２）本件補正後の特許請求の範囲 
　「【請求項１】
　内容物を収めた容器のための押出装置であって、全長にわたって形状付与部（２３）を有する少なくとも１本のピストンロッド（２１）と、少なくとも１本の該ピストンロッドのための駆動ユニット（１６）とを有し、該駆動ユニット（１６）が、少なくとも１本の前記ピストンロッド（２１）の前記形状付与部（２３）と噛み合う駆動手段（１７）を備える押出装置において、
　少なくとも１本の前記ピストンロッド（２１）の前記形状付与部（２３）が、互いに一様な間隔をおいて配置された、前記ピストンロッド（２１）を貫通する複数の貫通孔（２４）により形成されており、該貫通孔（２４）に、少なくとも１本の前記ピストンロッド（２１）を前進させるための駆動手段（１７）の係合手段が係合し、
　前記駆動手段（１７）は、少なくとも１つの歯車（１８）を有し、少なくとも１つの該歯車（１８）の歯が前記ピストンロッド（２１）と噛み合う部分で
、
、その全長に沿って厳密に、一方の方向および／または寸法だけに
　　【請求項２】
　請求項１に記載の押出装置において、
　少なくとも１つの前記歯車（１８）の歯が、インボリュート形状を有している押出装置。
　　【請求項３】
　請求項１または２に記載の押出装置において、
　前記貫通孔（２４）の開口横断面が長方形である押出装置。
　　【請求項４】
　請求項１または２に記載の押出装置において、
　少なくともそれぞれの前記貫通孔（２４）における少なくとも１本の前記ピストンロッド（２１）の前進方向に向いていない側縁部（２５）が面取りされている押出装置。
　　【請求項５】
　請求項１または２に記載の押出装置において、
　それぞれの前記貫通孔（２４）の少なくとも２つの互いに向かい合う側縁部（２５，２６）がそれぞれ面取りされている押出装置。」
（なお、下線は補正箇所を示すためのものである。）
　
２　本件補正の目的及び適否
　本件補正は、本件補正前の請求項１を引用する請求項６を本件補正後の請求項１とし、それに伴い、本件補正前の請求項２ないし５を引用する請求項６を、本件補正後の請求項１を引用する請求項２ないし５としたものである。
　したがって、本件補正は、本件補正前の請求項１ないし５の内、本件補正前の請求項６で引用されない請求項を削除するものであり、特許法第１７条の２第５項第１号に規定する請求項の削除を目的とするものに該当する（なお、請求人も、審判請求書において、同旨の主張をしている。）。
　よって、本件補正は、適法なものである。
　
第３　本願発明
　本願の特許請求の範囲の請求項１ないし５に係る発明は、本件補正により補正された特許請求の範囲並びに願書に最初に添付した明細書及び図面の記載からみて、その特許請求の範囲の請求項１ないし５に記載された事項により特定されるとおりのものであると認められるところ、特許請求の範囲の請求項１に係る発明（以下、「本願発明」という。）は、上記第２　１（２）の【請求項１】のとおりである。
　
第４　引用文献の記載等
１　引用文献の記載
　原査定の拒絶の理由に引用され、本願の優先日前に日本国内において頒布された刊行物である特開２００５−９７９６１号公報（以下、「引用文献」という。）には、「シーリングガン」に関して、図面とともに概ね次の記載（以下、「記載１ａ」という。）がある。
　
１ａ　　「【０００６】
　上記目的を達成するために、本発明に係るシーリングガンは、シーリング剤を収容したカートリッジチューブを保持するホルダ部と、ホルダ部に保持されたカートリッジチューブのピストン板を押動してシーリング剤をカートリッジチューブの先端ノズルから押し出す押動手段と、押動手段を駆動するモータと、モータに給電する電源手段と、外部からの操作により電源手段からモータへの給電を断続するスイッチ手段とを備えた構成にしてある。
・・・（略）・・・
【０００８】
　本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係るシーリングガンを示す側面図、図２は図１におけるＡ−Ａ線矢視断面図である。但し、図５、図６に示した従来のシーリングガン５１と同一の構成要素には、同一の符号を付すとともにその詳細な説明を省略することがある。
　各図において、この実施形態に係るシーリングガン１は、中空箱状の本体ケーシング２の前部に円筒状のホルダ固定枠４が固設され、このホルダ固定枠４および本体ケーシング２の前部上面にホルダ部３が取り付けられている。ホルダ部３はカートリッジチューブ７１を保持可能な大きさで、正断面半円形の受皿状に形成されている。ホルダ部３の前端にはチューブケーシング７２の前部を掛止するためのカートリッジ固定枠５が固設されている。カートリッジ固定枠５には上方に開口したノズル挿通溝６が形成され、このノズル挿通溝６にカートリッジチューブ７１の先端ノズル７３が挿通されて支持される。
【０００９】
　ホルダ固定枠４背後の本体ケーシング２内にはロッドスライドブッシュ９が配備され、本体ケーシング２内の後部にロッドスライドブッシュ１０が配備される。これらのロッドスライドブッシュ９，１０にスライドロッド８が前後摺動自在に架け渡されている。スライドロッド８の前端にピストン押板７が取り付けられ、スライドロッド８の後端は本体ケーシング２の背部から突出したロッドエンド１２となっている。本体ケーシング２から突出した部分のスライドロッド８はジャバラ状カバー１１で被われている。スライドロッド８の下面にはラック１３，１３，１３，・・・がロッド軸方向の全般にわたって設けられている。本体ケーシング２内に設けられた左右方向の枢支軸１４に歯車板１５Ａが枢支されている。歯車板１５Ａの外周に設けられたピニオンギヤ１６，１６，１６，・・・はスライドロッド８のラック１３，１３，１３，・・・と噛合する。歯車板１５Ａの側面にはベベルギヤ１５が枢支軸１４と同軸心に設けられ、ベベルギヤ１５は動力伝達手段１９の伝達軸１７の先端に固設されたベベルギヤ１８と噛合する。
・・・（略）・・・
【００１３】
　モータ２４の駆動軸２３の回転は、歯車３１、歯車３３，伝達軸３２、歯車３４、歯車３５により減速されたのちに伝達軸１７に伝達され、更にベベルギヤ１８、ベベルギヤ１５、ピニオンギヤ１６、ラック１３からスライドロッド８に伝わりピストン押板７をゆっくりと前進させる。そして、ピストン押板７がチューブケーシング７２内に入りピストン板７４の底面に接する。これにより、カートリッジチューブ７１がホルダ部３に保持される。この時点で、トリガースイッチ２６から手を離す。
【００１４】
　そして、先端ノズル７３を例えば外壁材などの目地に沿わせたのちにトリガースイッチ２６を引くと、ピストン押板７がピストン板７４（図５参照）を前向きに押動し、チューブ内のシーリング剤７５が先端ノズル７３から徐々に押し出されて目地を埋めていく。すなわち、上記した、ピストン押板７、ピニオンギヤ１６、ラック１３、スライドロッド８、および動力伝達手段１９からなる構成が、本発明にいう押動手段の一例（３６）である。このとき、トリガースイッチ２６を大きく引くと、速度コントローラ２７の作用によりスライドロッド８の前進速度が速くなって、先端ノズル７３からのシーリング剤７５の押出し量が多くなる。
【００１５】
　上記したように、このシーリングガン１によれば、トリガースイッチ２６を軽く引くだけで、シーリング剤７５をカートリッジチューブ７１の先端ノズル７３から押し出してシーリング作業に供することができる。すなわち、強い握力で操作する必要がないので、疲労が少なくて済み、高所作業の場合の安全性向上につながる。因みに、大型プレハブ冷蔵室を組立てる場合は１人で１日に数十メートルものシーリング施工をしなければならないが、複数の充電式電池２８を用意しておき、充電と給電を並行しながら充電式電池２８を取り替えて使用すれば、ほぼ連続した作業をスピーディに効率よく行なうことができる。また、先端ノズル７３は使用直前にカッターやハサミで切断されるが、先端ノズル７３の切口径の大小によりシーリング剤７５の押出し幅が決まる。そして、トリガースイッチ２６の引き加減によりシーリング剤７５の押出し量が決まる。すなわち、押出し量が多い場合は外壁材などの目地に沿って先端ノズル７３を早く走らせ、押出し量が少ない場合は遅く走らせるようにするとよい。これにより、仕上げが美しく高品質な、優れたシーリング施工が可能となる。
・・・（略）・・・
【００１８】
　尚、上記の実施形態では、ラック１３とピニオンギヤ１６を利用した押動手段３６を例示したが、本発明はそれに限定されない。例えば、図４に示したシーリングガン１ａのような押動手段３６ａを採用することもできる。この押動手段３６ａでは、動力伝達手段１９の伝達軸１７に取り付けられたギヤ本体３８のヘリカルギヤ４０，４０，４０，・・・がスライドロッド８ａの下面に設けられたヘリカルギヤ３７，３７，３７，・・・と噛合するようになっている。伝達軸１７の先端は本体ケーシング２内に設けられた軸受３９により回動自在に軸支されている。この場合、ピストン押板７、ヘリカルギヤ４０、ヘリカルギヤ３７、スライドロッド８ａ、および動力伝達手段１９からなる構成が、本発明にいう押動手段の別例（３６ａ）となる。一方、ホルダ部としては、カートリッジチューブ７１を収容可能な円筒状のホルダ部３ａと、ホルダ部３ａの前端開口縁の雄ネジ部に螺着される正面視円形蓋状のカートリッジ固定枠５ａを用いることもできる。カートリッジ固定枠５ａは、カートリッジチューブ７１の先端ノズル７３を挿通保持する円形のノズル挿通穴６ａを有している。
【００１９】
　更に、他の押動手段としては、例えばスライドロッドを雄ネジ棒で構成し、このスライドロッドの雄ネジ部と螺合する雌ネジ部材を回転駆動させることにより、スライドロッドを前後移動させるようにしたものでもよい。あるいは、スライドロッドのロッドエンドに滑車を取り付け、一端が本体ケーシングの後部に締結されたワイヤを前記の滑車に巻き掛け、ワイヤの他端側を本体ケーシング内に配備した巻取りローラで巻き取ることにより、スライドロッドを前進駆動させるようにしたものでもよい。その場合、モータと巻取りローラの間に介在する動力伝達手段にクラッチ機構を設けておけば、カートリッジチューブの取り外し、交換の際にクラッチ機構を切ってモータからの動力伝達を遮断し、手動でスライドロッドを後退させることができる。」（段落【０００６】ないし【００１９】）
　
２　引用文献の記載事項
　記載１ａ及び図面から、引用文献には、次の事項（以下、順に、「記載事項１ｂ」ないし「記載事項１ｇ」という。）が記載されていると認める。
　
１ｂ　記載１ａの「上記目的を達成するために、本発明に係るシーリングガンは、シーリング剤を収容したカートリッジチューブを保持するホルダ部と、ホルダ部に保持されたカートリッジチューブのピストン板を押動してシーリング剤をカートリッジチューブの先端ノズルから押し出す押動手段と、押動手段を駆動するモータと、モータに給電する電源手段と、外部からの操作により電源手段からモータへの給電を断続するスイッチ手段とを備えた構成にしてある。」（段落【０００６】）及び「上記したように、このシーリングガン１によれば、トリガースイッチ２６を軽く引くだけで、シーリング剤７５をカートリッジチューブ７１の先端ノズル７３から押し出してシーリング作業に供することができる。」（段落【００１５】）並びに図面によると、引用文献には、シーリング剤７５を収容したカートリッジチューブ７１のためのシーリングガン１が記載されている。
　
１ｃ　図１から、スライドロッドは少なくとも１本であることが看取されるから、記載１ａの「スライドロッド８の下面にはラック１３，１３，１３，・・・がロッド軸方向の全般にわたって設けられている。」（段落【０００９】）及び図面によると、引用文献には、ロッド軸方向の全般にわたってラック１３，１３，１３，・・・を有する少なくとも１本のスライドロッド８が記載されている。
　
１ｄ　記載１ａの「本体ケーシング２内に設けられた左右方向の枢支軸１４に歯車板１５Ａが枢支されている。歯車板１５Ａの外周に設けられたピニオンギヤ１６，１６，１６，・・・はスライドロッド８のラック１３，１３，１３，・・・と噛合する。歯車板１５Ａの側面にはベベルギヤ１５が枢支軸１４と同軸心に設けられ、ベベルギヤ１５は動力伝達手段１９の伝達軸１７の先端に固設されたベベルギヤ１８と噛合する。」（段落【０００９】）、「モータ２４の駆動軸２３の回転は、歯車３１、歯車３３，伝達軸３２、歯車３４、歯車３５により減速されたのちに伝達軸１７に伝達され、更にベベルギヤ１８、ベベルギヤ１５、ピニオンギヤ１６、ラック１３からスライドロッド８に伝わりピストン押板７をゆっくりと前進させる。」（段落【００１３】）及び「尚、上記の実施形態では、ラック１３とピニオンギヤ１６を利用した押動手段３６を例示したが、本発明はそれに限定されない。」（段落【００１８】）、記載事項１ｃ並びに図面によると、引用文献には、少なくとも１本のスライドロッド８のための押動手段３６が記載されている。
　
１ｅ　記載１ａの「歯車板１５Ａの外周に設けられたピニオンギヤ１６，１６，１６，・・・はスライドロッド８のラック１３，１３，１３，・・・と噛合する。」（段落【０００９】）及び「尚、上記の実施形態では、ラック１３とピニオンギヤ１６を利用した押動手段３６を例示したが、本発明はそれに限定されない。」（段落【００１８】）、記載事項１ｃ及び１ｄ並びに図面によると、引用文献には、押動手段３６が、少なくとも１本のスライドロッド８のラック１３，１３，１３，・・・と噛合するピニオンギヤ１６，１６，１６，・・・が設けられた部材（便宜上、このように表現する。）を備えることが記載されている。
　
１ｆ　記載事項１ｄ及び１ｅを踏まえると、図１から、少なくとも１本のスライドロッド８のラック１３，１３，１３，・・・が、互いに一様な間隔をおいて配置された、複数の突起部（便宜上、このように表現する。）により形成されており、該突起部に、少なくとも１本のスライドロッド８を前進させるためのピニオンギヤ１６，１６，１６，・・・が設けられた部材のピニオンギヤ１６，１６，１６，・・・が係合することが看取される。
　
１ｇ　図１から、歯車板１５Ａは少なくとも１つであることが看取されるから、記載１ａの「本体ケーシング２内に設けられた左右方向の枢支軸１４に歯車板１５Ａが枢支されている。歯車板１５Ａの外周に設けられたピニオンギヤ１６，１６，１６，・・・はスライドロッド８のラック１３，１３，１３，・・・と噛合する。」（段落【０００９】）、記載事項１ｅ及び１ｆ並びに図面によると、引用文献には、ピニオンギヤ１６，１６，１６，・・・が設けられた部材は、少なくとも１つの歯車板１５Ａを有し、少なくとも１つの歯車板１５Ａの外周に設けられたピニオンギヤ１６，１６，１６，・・・がスライドロッド８と噛合する部分で、スライドロッド８を、その全長に沿って厳密に、一方の方向だけに前進させるピニオンギヤ１６，１６，１６，・・・として形成されていることが記載されている。
　
３　引用発明
　記載１ａ、記載事項１ｂないし１ｇ及び図面を整理すると、引用文献には、次の発明（以下、「引用発明」という。）が記載されていると認める。
　
　「シーリング剤７５を収容したカートリッジチューブ７１のためのシーリングガン１であって、ロッド軸方向の全般にわたってラック１３，１３，１３，・・・を有する少なくとも１本のスライドロッド８と、少なくとも１本の該スライドロッド８のための押動手段３６とを有し、該押動手段３６が、少なくとも１本の前記スライドロッド８の前記ラック１３，１３，１３，・・・と噛合するピニオンギヤ１６，１６，１６，・・・が設けられた部材を備えるシーリングガン１において、
　少なくとも１本の前記スライドロッド８の前記ラック１３，１３，１３，・・・が、互いに一様な間隔をおいて配置された、複数の突起部により形成されており、該突起部に、少なくとも１本の前記スライドロッド８を前進させるためのピニオンギヤ１６，１６，１６，・・・が設けられた部材のピニオンギヤ１６，１６，１６，・・・が係合し、
　前記ピニオンギヤ１６，１６，１６，・・・が設けられた部材は、少なくとも１つの歯車板１５Ａを有し、少なくとも１つの該歯車板１５Ａの外周に設けられたピニオンギヤ１６，１６，１６，・・・が前記スライドロッド８と噛合する部分で、当該スライドロッド８を、その全長に沿って厳密に、一方の方向だけに前進させるピニオンギヤ１６，１６，１６，・・・として形成されているシーリングガン１。」
　
第５　対比
　本願発明と引用発明を対比する。
　
　引用発明における「シーリング剤７５」は、その機能、構成及び技術的意義からみて、本願発明における「内容物」に相当し、以下、同様に、「収容した」は「収めた」に、「カートリッジチューブ７１」は「容器」に、「シーリングガン１」は「押出装置」に、「ロッド軸方向の全般にわたって」は「全長にわたって」に、「ラック１３，１３，１３，・・・」は「形状付与部（２３）」に、「ピニオンギヤ１６，１６，１６，・・・が設けられた部材」は「駆動手段（１７）」に、「スライドロッド８」は「ピストンロッド（２１）」に、「押動手段３６」は「駆動ユニット（１６）」に、「噛合する」は「噛み合う」に、「ピニオンギヤ１６，１６，１６，・・・」は「係合手段」に、「歯車板１５Ａ」は「歯車（１８）」に、「外周に設けられたピニオンギヤ１６，１６，１６，・・・」は「歯」に、「噛合する部分」は「噛み合う部分」に、それぞれ、相当する。
　また、引用発明における「複数の突起部」は、「ピニオンギヤ１６，１６，１６，・・・」が係合する部分であり、本願発明における「前記ピストンロッド（２１）を貫通する複数の貫通孔（２４）」は、「係合手段」が係合する部分であるから、引用発明における「複数の突起部」と本願発明における「前記ピストンロッド（２１）を貫通する複数の貫通孔（２４）」は、「複数の係合する部分」という限りにおいて、一致する。
　さらに、本願発明における「一方の方向および／または寸法だけ」は、「一方の方向だけ」、「寸法だけ」及び「一方の方向および寸法だけ」のことであるから、引用発明における「一方の方向だけ」は、本願発明における「一方の方向および／または寸法だけ」に相当する。
　
　したがって、本願発明と引用発明は、以下の点で一致する。
　
　「内容物を収めた容器のための押出装置であって、全長にわたって形状付与部を有する少なくとも１本のピストンロッドと、少なくとも１本の該ピストンロッドのための駆動ユニットとを有し、該駆動ユニットが、少なくとも１本の前記ピストンロッドの前記形状付与部と噛み合う駆動手段を備える押出装置において、
　少なくとも１本の前記ピストンロッドの前記形状付与部が、互いに一様な間隔をおいて配置された、複数の係合する部分により形成されており、該係合する部分に、少なくとも１本の前記ピストンロッドを前進させるための駆動手段の係合手段が係合し、
　前記駆動手段は、少なくとも１つの歯車を有し、少なくとも１つの該歯車の歯が前記ピストンロッドと噛み合う部分で、当該ピストンロッドを、その全長に沿って厳密に、一方の方向および／または寸法だけに前進させる係合手段として形成されている押出装置。」
　
　そして、以下の点で相違する。
　
＜相違点＞
　「複数の係合する部分」に関して、本願発明においては、「前記ピストンロッド（２１）を貫通する複数の貫通孔（２４）」であるのに対し、引用発明においては、「複数の突起部」である点（以下、「相違点」という。）。
　
第６　相違点に対する判断
　そこで、相違点について、以下に検討する。
　
　ラック＆ピニオン機構として、引用発明において採用されているようなラック＆ピニオン機構、即ちラックに突起部を設け、該突起部をピニオンの歯と係合させ、ピニオンを回転することによりラックを前後動させるラック＆ピニオン機構も、本願発明で採用されているようなラック＆ピニオン機構、即ちラックに貫通孔を設け、該貫通孔をピニオンの歯と係合させ、ピニオンを回転することによりラックを前後動させるラック＆ピニオン機構も、何れも本願の優先日前に周知である（後者については、下記１ないし４を参照。また、下記３には、凸よりも穴の方が加工しやすい、即ち突起部よりも貫通孔の方が加工しやすい旨の記載もある。以下、後者を、「周知技術」という。）。
　また、記載１ａの「尚、上記の実施形態では、ラック１３とピニオンギヤ１６を利用した押動手段３６を例示したが、本発明はそれに限定されない。」（段落【００１８】）によると、引用発明における「押動手段３６」は、「上記の実施形態」の「ラック１３とピニオンギヤ１６」を利用したもの、即ちラックに突起部を設け、該突起部をピニオンの歯と係合させ、ピニオンを回転することによりラックを前後動させるラック＆ピニオン機構を利用したものに限定されない。
　
　したがって、引用発明において、周知技術を適用し、「複数の突起部」に代えて、スライドロッド８を貫通する複数の貫通孔とすることによって、相違点に係る本願発明の発明特定事項とすることは、当業者であれば容易に想到し得たことである。
　そして、本願発明を全体として検討しても、本願発明により、引用発明及び周知技術からみて、格別顕著な効果が奏されるともいえない。
　
１　特開２００６−２９１４５６号公報の記載
　本願の優先日前に日本国内において頒布された刊行物である特開２００６−２９１４５６号公報には、「天井点検口」に関して、図面とともに概ね次の記載がある（なお、下線は当審で付したものである。他の文献についても同様。）。
　
・「【００２３】
　上記係止手段３は、内枠１前面部の垂直壁部１２の外面に、取付片３１ａで取付けられた扁平な駆動部収納ケース３１と、この駆動収納ケース３１から左右方向へ垂直壁部１２に並行状に突設される進退バー３５、３６と、各進退バーの先端に取り付けられた係止押え板３７、３７とから構成される。
図２は、駆動部収納ケース３１の内部を示す説明図である。
駆動部３１は、垂直壁部１２と平行する操作軸３２と、この操作軸部３２の上端に止着される係止片３２ｄと、操作軸３２のピニオンに係合するラック穴を持つ進退板３３と、この進退板３３に連繋し進退板の左右への移動に応じて振り子動する傾動板３４とから構成される。
【００２４】
　操作軸３２は、化粧カバー３２ｆを介して下端部を、水平フランジ１１の外面に対し重合させ、上端の係止片３２ｄを折曲部１３上面の上方に位置させて配備している。この操作軸３２の回動により係止片３２ｄも回動し、係止片３２ｄには回止めのストッパ３２ｅを取り付けてある。
【００２５】
　
操作軸３２には、ピニオン（第１の爪３２ａ、第２の爪３２ｂ、第３の爪３２ｃ）が設けられ、後述する進退板（ラック板）３３を左右方向へ往復動させる。　進退板３３は、収納ケース３１の前壁の内面に摺動可能に平行配備され、面内には上記ピニオンに対応する孔（第１の孔３３ａ、第２の孔３３ｂ、第３の孔３３ｃ）が開設してある。
　
２　特開２００８−１３８４８７号公報の記載
　本願の優先日前に日本国内において頒布された刊行物である特開２００８−１３８４８７号公報（公開日：平成２０年６月１９日）には、「引き違い戸用錠」に関して、図面とともに概ね次の記載がある。
　
・「【００２３】
　ピニオン６０は、その回転軸心を室外錠体３に設けられたシリンダ錠１３の角軸１６と同軸とさせる配置で設けられている。そしてこのピニオン６０の軸心部には、シリンダ錠１３の角軸１６が突出されたときにその先端とガタツキ無く係合可能となるように角孔６４が形成されている。角軸１６と角孔６４とがガタツキ無く係合した状態では、言うまでもなく、角軸１６とピニオン６０とは一体回転可能となる。
　スライダー６２は、裏板５１側を開口させ内長座５０側を連結させる向きで断面コ字状の縦長箱形状に形成されており、裏板５１側の開口部分内でピニオン６０を挟持するようになっている。そして、この挟持部分の少なくとも一方の側壁部はピニオン６０と当接する位置関係に保持されており、この当接部分に、
ピニオン６０と噛合可能となるラック用孔６５が上下方向に複数並んで形成されている。
【００２４】
　鎌板２０は、スライダー６２内で、そのコ字状断面の内側を横断するように架設された支持軸６６を中心として回動自在に設けられている。またスライダー６２内には、この支持軸６６と平行する状態で他にもう１本の連動軸６７が架設されている。これら支持軸６６や連動軸６７は、いずれもその両端部が、スライダー６２のまわりを取り囲むように設けられたメカケース６８に対して固定されている。
　なお、このメカケース６８は、内長座５０側を開口させ裏板５１側を連結させる向きで断面コ字状の縦長箱形状に形成されており、上部の鎌板駆動機構５５及び鎌板２０と、下部の鎌板駆動機構５５及び鎌板２０とを、それぞれ各別に収納するように、別々に設けられている。
【００２５】
　鎌板２０には、連動軸６７が刺し通される位置付けで軸通孔７０が貫設されている。これに対し、スライダー６２の側壁部も連動軸６７の両端部が刺し通される位置付けで軸通孔７１が貫設されている。このスライダー６２に設けられた軸通孔７１は、長手方向を上下に向けた長孔として形成されている。
　このようなことから、
ピニオン６０が回転されたとき、このピニオン６０に噛合するラック用孔６５が上方又は下方へ送られ、もってスライダー６２が上下動する
　　
３　特開２００８−１５１０６号公報の記載
　本願の優先日前に日本国内において頒布された刊行物である特開２００８−１５１０６号公報（公開日：平成２０年１月２４日）には、「現像剤カートリッジ、及び、画像形成装置」に関して、図面とともに概ね次の記載がある。
　
・「【００１０】
　また、かかる現像剤カートリッジであって、前記変換機構は、前記シャッターに設けられたラック部と、前記把手部材に設けられ前記ラック部と係合可能なピニオン部と、を有し、前記シャッターは、
前記ラック部と前記ピニオン部が係合した状態で前記把手部材が回転移動することにより、前記回転力が前記直進力に変換されて、直進移動する
　変換機構が、ラック部とピニオン部を有する場合には、簡易に、前記回転力を前記直進力に変換することが可能となる。
【００１１】
　また、かかる現像剤カートリッジであって、前記シャッターは、金属製であり、前記把手部材は、樹脂製であり、
前記ラック部は、一定間隔で設けられた複数の穴によって構成されており、前記ピニオン部は、一定間隔で設けられ前記穴と係合可能な複数の凸によって構成されていることとしてもよい。
　シャッターが金属製である場合には、
凸よりも穴の方が加工しやすいから、ラック部が穴によって構成されていることとすると、簡易に、ラック部を形成することが可能となる。
　
・「【００６２】
　
図１５Ａ〜図１５Ｃは、外カバー６２０を回転移動させる回転力を、ＣＲＧシャッター６３０を直進移動させる直進力に変換するメカニズムを説明するための図であ
　
４　特開平６−１８３４７７号公報の記載
　本願の優先日前に日本国内において頒布された刊行物である特開平６−１８３４７７号公報には、「パレット」に関して、図面とともに概ね次の記載がある。
　
・「【００２６】図４は、上記ラックピニオン機構の作用説明図である。例えば図２の左側の袖枠７を作業者が手で動かし、上側のラック２２を矢印Ｄのように移動させると、
このラック２２のラック穴２４に噛み合うピニオン２６が矢印Ｅのように回転する。これにより、このピニオン２６に噛み合う下側のラック２２が矢印Ｆのように上側のラックとは反対方向に移動する。
　
第７　むすび
　したがって、本願発明は、引用発明及び周知技術に基づいて当業者が容易に発明をすることができたものであり、特許法第２９条第２項の規定により特許を受けることができないので、本願は拒絶すべきものである。
　
　よって、結論のとおり審決する。